(57)【要約】【課題】商品に試用品やおまけ等を添付して販売する際に、試用品等を商品の外面に貼付するために用いる貼付用部材であって、簡単な製造工程で低コストで製造でき、試用品等を商品に貼付する際の手間も軽減でき、且つ、固定性及び体裁よく試用品等を商品に貼付することのできる貼付用部材を提供する。【解決手段】試用品等の貼付用部材を、テープ体で形成し、その試用品等貼付用のテープ体１００  を、長方形のプラスチックフィルムをテープ基材１として、その内側となる面の少なくとも左右両側の端縁部と中間部の３箇所に縦方向に粘着剤層２ａ，２ｂ，２ｃを設け、その上に粘着剤層２ａ，２ｂ，２ｃを覆うように離型フィルム３ａ，３ｂ，３ｃを貼着して構成する。【選択図】        図１
2005053994.tif 000002
【特許請求の範囲】
【請求項１】
商品に試用品等を添付して販売する際に、試用品等を商品の外面に外側から覆って固定するために用いるテープ体であって、該テープ体が、長方形状のプラスチックフィルムをテープ基材とし、その内側となる面の少なくとも左右両側の端縁部と中間部の３箇所に縦方向に粘着剤層が設けられ、その上に該粘着剤層を覆うように離型フィルムが貼着されていることを特徴とする試用品等貼付用のテープ体。
【請求項２】
前記粘着剤層の上に貼着された離型フィルムが、それぞれ下側の粘着剤層のパターンよりも少なくとも片側に大きく形成され、その部分をつまみ部として使用できるように形成されていることを特徴とする請求項１記載の試用品等貼付用のテープ体。
【請求項３】
前記テープ基材に文字、絵柄等の印刷が施されていることを特徴とする請求項１または２に記載の試用品等貼付用のテープ体。
【発明の詳細な説明】
【０００１】
【発明の属する技術分野】
本発明は、試用品等貼付用のテープ体に関し、更に詳しくは、各種の商品に試用品やおまけなどを添付して販売する際に、試用品やおまけなどを商品に貼り付けるために用いるテープ体であって、試用品やおまけなどを添付ための手間とコストを軽減することができ、一層簡単に且つ体裁よく商品に貼り付けて販売することのできるテープ体に関する。
【０００２】
【従来の技術】
従来、各種の商品に試用品やおまけなどを添付して販売する際には、通常、それらの添付物を小袋などに詰め、その小袋の上部などに、貼り付け手段や吊り下げ手段などを設けておいて、例えば、商品の側面に貼り付けたり、商品の首部に吊り下げたりして商品に添付する方法が採られていた。
只、このような試用品やおまけなどの添付用の袋などに関する先行技術文献は見あたらず、本発明者は、先に、試用品やおまけなどの添付物を収納し、商品の側面などに安定性よく貼り付けて販売することのできるおまけ等添付用の袋として、例えば、袋を内容物の収納部と、商品に貼り付けるための貼り付け部とで形成すると共に、その収納部と貼り付け部の間に切り目線及び／又は切り欠き部を設けて、収納部と貼り付け部とが狭い幅の連結部で連結されるようにして、内容物が立体形状を有し、収納部が膨らんだ形状となった場合でも、貼り付け部にはその膨らみ形状の影響がなく、安定して商品に貼り付けられるようにしたおまけ等添付用の袋を提案している（特許文献１参照）。
【０００３】
また、本出願人は、添付物を収納し、ボトル詰め商品の首部に容易に且つコンパクトに吊り下げて添付でき、ボトルに施されたデザイン面をできるだけ隠すことがないようにした景品等添付用の袋として、袋を内容物の収納部と、該袋をボトルの首部に嵌め込むための装着部とで形成した景品等添付用の袋、また、前記装着部を、内容物の収納部から延長された袋材料の延長部と、その延長部に設けられた切り目線及び／又は切り欠き部で形成した景品等添付用の袋、更に、前記装着部を、袋の背面側に設けると共に、該袋の上下方向の中間部近辺乃至中間部よりも上寄りの位置に設けた構成などの景品等添付用の袋を提案している（特許文献２参照）。
【０００４】
【特許文献１】
特願２００２−０３７０４４（出願番号）（明細書第１〜６頁、図１〜図５）
【特許文献２】
特願２００２−１４３７２６（出願番号）（明細書第１〜５頁、図１〜図４）
【０００５】
【発明が解決しようとする課題】
しかし、前記のような「おまけ等添付用の袋」や「景品等添付用の袋」は、それぞれ袋に収納される内容物の形状や硬さなどに影響されることが少なく、例えば、内容物が、厚みが薄くて柔軟なものから、硬くて立体形状を有するものまで、広範囲の内容物に対して好適に使用できる利点を有するが、いずれも内容物を収納する袋部分と、それに連設された貼り付け部または装着部を有し、更に、前者のおまけ等添付用の袋では、収納部と貼り付け部の間に切り目線及び／又は切り欠き部を設けており、また、後者の景品等添付用の袋では、装着部に切り目線及び／又は切り欠き部を設けて構成している。
従って、これらの袋の製造には、製袋工程と共に打ち抜き工程が必要であり、更に、収納部の封止部や、商品への貼り付け部などに粘着剤の塗布及び離型フィルムの貼着などの加工工程も必要となり、袋の製造コストが上昇すると同時に、それぞれの収納部への内容物の充填、シール（封止）や、商品への貼り付け、或いは、装着などの作業にも相当の手間とコストが掛かる問題があり、これらの袋の簡略化、或いは、内容物の収納や商品への添付の際の手間などの一層の軽減化が要望されていた。
【０００６】
本発明は、このような問題点を解決するためになされたものであり、その目的とするところは、各種の商品に試用品やおまけなどを添付して販売する際に、試用品やおまけなどを商品の側面などに取り外し可能に保持させるために用いる貼付用部材であって、前記おまけ等添付用の袋や景品等添付用の袋のように、製袋や、切り目線及び／又は切り欠き部などの打ち抜き加工を必要とせず、製造工程を簡略化することができ、更に、試用品やおまけなどを商品の側面などに保持させるための手間も軽減することができ、一層簡単に且つ体裁よく試用品やおまけなどを商品に貼付して販売することのできる貼付用部材を生産性及び経済性よく提供することにある。
【０００７】
【課題を解決するための手段】
上記の課題は、以下の本発明により解決することができる。
即ち、請求項１に記載した発明は、商品に試用品等を添付して販売する際に、試用品等を商品の外面に外側から覆って固定するために用いるテープ体であって、該テープ体が、長方形状のプラスチックフィルムをテープ基材とし、その内側となる面の少なくとも左右両側の端縁部と中間部の３箇所に縦方向に粘着剤層が設けられ、その上に該粘着剤層を覆うように離型フィルムが貼着されていることを特徴とする試用品等貼付用のテープ体からなる。
【０００８】
本発明において、テープ体に使用するテープ基材としては、プラスチックフィルムを用いるが、試用品等を商品の外面に外側から覆って保持できる強度があればよく、その材質は特に限定はされない。只、前記強度と共に、耐水性、透明性などを有し、且つ、安価であることが好ましく、この点からポリプロピレン、ポリエチレンテレフタレート、ナイロンなどの延伸フィルムを好適に使用することができる。これらはそれぞれ単独の重合体のほか、共重合可能な他成分を共重合して改質した共重合体や、他のポリマーまたはエラストマーなどをブレンドしたブレンド樹脂であってもよい。
【０００９】
共重合体やブレンド樹脂の延伸フィルムをテープ基材に用いることにより、その上に塗布して形成する粘着剤層の接着性をよくすることができる。
只、単独の重合体の延伸フィルムを用いた場合でも、粘着剤の塗布面に、コロナ放電処理やオゾン処理などの公知の易接着性処理を施し、更に必要に応じてその上にプライマーコートなどの接着性向上層を設けることにより、粘着剤層の接着性を十分に向上させることができる。
具体例として、一般に接着性がよくないとされる二軸延伸ポリプロピレンフィルムをテープ基材に用いた場合でも、粘着剤の塗布面に、例えばコロナ放電処理を行い、必要な場合、更にその面に反応型ポリウレタン系樹脂などのプライマーコートを施すことにより、アクリル系などの粘着剤層を接着性よく形成することができる。
【００１０】
粘着剤層に使用する粘着剤としては、アクリル系、ゴム系、シリコーン系などの公知の粘着剤はいずれも使用することができる。只、商品に貼付した試用品等を取り外す際の再剥離性を有すると共に、剥がされた被接着面への糊残りがないこと、また、耐熱性、耐寒性、耐久性などに優れ、且つ、比較的安価であることも必要であり、これらの性能及びコストの面から、アクリル系の粘着剤を特に好ましく使用することができる。
【００１１】
また、前記粘着剤層の上に、これを覆うように貼着する離型フィルムは、粘着剤層を形成した後、接着に使用するまでの間、その表面がべたつかないように一時的に使用するものであり、粘着剤層を接着に使用する際には、剥がして廃棄されるため、特に低コストであることが好ましく、例えば、ポリエチレンフィルムやポリプロピレンフィルム、或いは、これらにシリコーン加工、その他の離型加工を施したフィルムなどを好適に使用することができる。
【００１２】
請求項１に記載した発明の試用品等貼付用のテープ体は、長方形状のプラスチックフィルムをテープ基材とし、その内側となる面の少なくとも左右両側の端縁部と中間部の３箇所に縦方向に粘着剤層が設けられ、その上に該粘着剤層を覆うように離型フィルムが貼着されているので、試用品等の添付物を商品に添付して販売する際には、例えば、前記テープ体の中間部の粘着剤層の上の離型フィルムを剥がして粘着剤層を露出させ、その上に試用品等の添付物を乗せて粘着剤層に接着させ、次いで、添付物が中間部に接着されたテープ体を、その添付物が商品の外面の所定の位置に接するように配置して、左右両側の端縁部の粘着剤層の上の離型フィルムを順次剥がして、商品の外面に巻き付けるようにして粘着剤層で接着することにより、試用品等の添付物を商品の外面の所定の位置に容易に固定性よく貼付することができる。
また、本発明の試用品等の貼付用のテープ体は、製袋加工や切り目線及び／又は切り欠き部の打ち抜き加工を必要としないので、製造工程を簡略化でき、製造コストを低減することができる。
【００１３】
請求項２に記載した発明は、前記粘着剤層の上に貼着された離型フィルムが、それぞれ下側の粘着剤層のパターンよりも少なくとも片側に大きく形成され、その部分をつまみ部として使用できるように形成されていることを特徴とする請求項１記載の試用品等貼付用のテープ体からなる。
【００１４】
このような構成を採ることにより、請求項１に記載した発明の作用効果に加えて、試用品等の添付物を商品の外面の所定の位置に貼付する際、粘着剤層の上の離型フィルムを、そのつまみ部をつまんで剥がすことができるので、試用品等の添付物を商品の外面に貼付する作業を一層容易に行えるようになる。
【００１５】
また、請求項３に記載した発明は、前記テープ基材に文字、絵柄等の印刷が施されていることを特徴とする請求項１または２に記載の試用品等貼付用のテープ体である。
【００１６】
このような構成を採ることにより、請求項１または２に記載した発明の作用効果に加えて、商品に添付される試用品等に関する情報や、装飾などの印刷が可能となるので、商品と共に、添付される試用品等の販売促進効果を高めることができる。
【００１７】
【発明の実施の形態】
以下に、本発明の試用品等貼付用のテープ体の実施の形態について、図面を用いて説明する。
但し、本発明は、その要旨を超えない限り、これらの図面に限定されるものではない。
図１は、本発明の試用品等貼付用のテープ体の一実施例の構成を示す図であり、（イ）は平面図、（ロ）は模式断面図である。
図２は、本発明の試用品等貼付用のテープ体を用いて商品に試用品等の添付物を貼付した形体の一例を示す正面図である。
そして、図３は、図２のＡ−Ａ線の模式断面図である。
【００１８】
図１の（イ）、（ロ）に示した試用品等貼付用のテープ体１００は、横長の長方形状のプラスチックフィルムからなるテープ基材１の内側となる面の左右両側の端縁部と中間部の３箇所に、縦方向の帯状に粘着剤層２ａ  、２ｂ  、２ｃ  を設けると共に、粘着剤層２ａ  、２ｂ  、２ｃ  の上に、それぞれを覆うように離型フィルム３ａ  、３ｂ  、３ｃ  を貼着して構成したものである。
尚、上記離型フィルム３ａ  、３ｂ  、３ｃ  は、下層の粘着剤層２ａ  、２ｂ  、２ｃ  がはみ出さないように左右方向には若干大きくする程度でもよいが、図１の（ロ）に符号を付けて示したように、左右の端縁部の粘着剤層２ａ  、２ｃ  の上に貼着した離型フィルム３ａ  、３ｃ  では更に内側に大きくしてつまみ部４、４を形成し、中間部の粘着剤層２ｂ  の上に貼着した離型フィルム３ｂ  では、更に両側に大きくして両側につまみ部４、４を形成するように構成することが、離型フィルム３ａ  、３ｂ  、３ｃ  の剥がし作業が一層容易になり、試用品等の添付物を商品の外面に貼り付ける際の作業を一層容易に行える点で更に好ましい。
【００１９】
このような構成の試用品等貼付用のテープ体１００の製造は、例えば、少なくとも３列の帯状に粘着剤の塗布液を塗布し、乾燥した後、それぞれの上に離型フィルムを貼着できるロールコート方式などの粘着剤加工装置を用いて、この装置にプラスチックフィルムからなる長尺のテープ基材１と長尺の離型フィルム３ａ  、３ｂ  、３ｃ  及び粘着剤の塗布液を供給して、テープ基材１の粘着剤層形成面に、粘着剤の塗布液を所定の幅と間隔で塗布、乾燥して粘着剤層２ａ  、２ｂ  、２ｃ  を形成した後、その上にそれぞれ離型フィルム３ａ  、３ｂ  、３ｃ  を重ねて圧着し貼着させ、次いで、所定の長さに切断する方法で生産性よく試用品等貼付用のテープ体１００を製造することができる。
【００２０】
尚、試用品等貼付用のテープ体１００に文字、絵柄等の印刷を施す場合は、長尺のテープ基材１にグラビア印刷などで予め印刷することができる。
また、テープ基材１の粘着剤層形成面にプライマーコート層を設ける場合も、例えば、グラビアコート方式などで必要箇所に帯状のパターンでプライマーの塗布液を塗布、乾燥して設けることができる。
【００２１】
また、図１に示した構成の試用品等貼付用のテープ体１００を用いることにより、例えば、図２、図３に示すような形体に試用品等を商品に貼付することができる。
即ち、図２は、本発明の試用品等貼付用のテープ体を用いて商品に試用品等の添付物を貼付した形体の一例を示す正面図であり、図３は、図２のＡ−Ａ線の模式断面図である。
図２、図３に示した試用品等を貼付した商品は、商品Ｇとして容器本体が円筒形のボトルまたは缶などに内容物が充填された製品を用い、これに添付される添付物にも円筒形の小型ボトルに内容物が充填された試用品Ｐを用いて、商品Ｇの側面下部に図１に示した構成の試用品等貼付用のテープ体１００を用いて試用品Ｐを貼付した場合の例を示したものである。
【００２２】
このような形体の試用品Ｐが貼付された商品Ｇは、図１に示した構成の試用品等貼付用のテープ体１００を用いて、例えば、以下のような手順で組付けることができる。
先ず、試用品等貼付用のテープ体１００の中間部に貼着された離型フィルム３ｂ  を一方のつまみ部４をつまんで取り除き、露出した縦方向帯状の粘着剤層２ｂ  の上に、これに沿って試用品Ｐを重ねて接着させる。
この試用品Ｐを接着させたテープ体１００を、その試用品Ｐが商品Ｇの所定の位置（図では側面の下部）に接するように配置して、テープ体１００の左右両側を商品Ｇの外周に巻き付け、一方の端縁部の離型フィルム、図では離型フィルム３ａ  を先にそのつまみ部４をつまんで剥がし、露出した粘着剤層２ａ  を商品Ｇの外面に接着させる。次いで、もう一方の側のテープ体１００をその上にオーバーラップさせると共に、その端縁部の離型フィルム３ｃ  をそのつまみ部４をつまんで剥がし、露出した粘着剤層２ｃ  を先に接着させたテープ体１００の上に重ねて押圧し接着させることにより、図２、図３に示したように、試用品Ｐを商品Ｇの側面下部にピッタリと貼付することができる。
【００２３】
尚、図２、図３では、試用品Ｐを貼付するテープ体１００の端縁部同士が商品Ｇの外面でオーバーラップして接着される形体を示したが、試用品Ｐを商品Ｇの外面に固定する力が弱くならない限り、この形体に限定するものではなく、例えば、テープ体１００の端部同士が突き合わされた形体、或いは、テープ体１００の端部同士の間に適宜の間隔を設けた形体で接着してもよい。
試用品等貼付用のテープ体１００の幅（図２における高さ方向の長さ）に関しても、図２では、試用品Ｐの高さと略同一寸法としたが、これに限定するものではなく、試用品Ｐの形状や質量などにより適宜に設定することができる。
【００２４】
商品Ｇと試用品Ｐの形状に関して、図２、図３ではいずれも容器本体が円筒形の場合の例を示したが、それぞれ横断面が円形や楕円形などの丸形容器のほか、横断面が矩形状或いは多角形状の角形容器であってもよい。
また、試用品等貼付用のテープ体に関して、商品とそれに貼付する試用品等の添付物との接着性のみを考えた場合は、テープ体の内側となる面全体に粘着剤層が設けられ、その上の全面に離型フィルムが貼着された構成のテープ体も考えられるが、そのような構成のテープ体では、商品の外面に試用品等の添付物を貼り付ける際、必要以外の部分も粘着性を有するため、手にべたべたと貼りついて、貼り付け作業が厄介になる問題があり、更に、図２、図３に示すように、実際に商品Ｇに試用品Ｐを貼り付けた際には、商品Ｇと試用品Ｐとの間に、テープ体１００が商品Ｇの外周と試用品Ｐの外周のいずれにも接触せず、離れた状態の部分を生じるため、この部分に塵埃など異物が付着し、テープ体１００が汚され、外観も損なわれるため好ましくない。
【００２５】
【実施例】
以下に実施例を挙げて本発明を更に具体的に説明する。
（実施例１）
図１に示した構成の試用品等貼付用のテープ体１００を、以下の材料と寸法で作製し、実施例１の試用品等貼付用のテープ体とした。
テープ基材１には、厚み５０μｍの透明な二軸延伸ポリプロピレンフィルム（片面コロナ放電処理）を使用した。
離型フィルム３ａ  、３ｂ  、３ｃ  には、厚み２０μｍの片面に離型加工を施したポリエチレンフィルムを使用した。
粘着剤層２ａ  、２ｂ  、２ｃ  は、アクリル系の粘着剤（溶剤タイプ）を用いて乾燥時の塗布量が７ｇ／ｍ２  となるようにロールコート方式の塗布装置を用いて３列の帯状に塗布、乾燥して形成した。また、乾燥後は、インラインで粘着剤層２ａ  、２ｂ  、２ｃ  の上に前記離型フィルム３ａ  、３ｂ  、３ｃ  を、その離型加工面を重ねてロールで圧着して貼着した。
【００２６】
（試用品等貼付用のテープ体１００の寸法）
テープ基材１の寸法：縦５０ｍｍ×横２４０ｍｍ
粘着剤層２ａ  、２ｂ  、２ｃ  の幅：両側端縁部の粘着剤層２ａ  、２ｃ  の幅はそれぞれ６ｍｍとし、中間部の粘着剤層２ｂ  の幅は１０ｍｍとした。
離型フィルムの幅：両側端縁部の粘着剤層２ａ  、２ｃ  の上に貼着した離型フィルム３ａ  、３ｃ  の幅はそれぞれ１６ｍｍとし、中間部の粘着剤層２ｂ  の上に貼着した離型フィルム３ｂ  の幅は２４ｍｍとし、それぞれつまみ部４の幅が６〜７ｍｍ程度設けられるように構成した。
【００２７】
以上のように作製した実施例１の試用品等貼付用のテープ体１００を用いて、図２、図３に示した形体の試用品付き商品を作製することとし、商品Ｇには胴部の直径が５３ｍｍで、全高さが１９０ｍｍの金属ボトル（表面に印刷及びオーバーコート有り）詰め商品を用い、試用品等の添付物Ｐには胴部の直径が２０ｍｍのプラスチックボトル（シュリンクラベル付き）詰め試用品を用いて、図２、図３で説明した方法で商品Ｇの側面下部に試用品を貼付して、試用品付き商品を作製した。
【００２８】
上記試用品等貼付用のテープ体１００を用いて試用品を商品Ｇの側面下部に貼り付ける作業は、問題なく容易に行うことができた。また、貼付した試用品は商品Ｇの側面下部にしっかりと固定され、後工程のハンドリングや輸送時の振動によっても、緩みや抜け落ちなどが発生することがなく、外観面でもすっきりとした形体で良好であった。
【００２９】
【発明の効果】
以上、詳しく説明したように、本発明によれば、各種の商品に試用品やおまけなどを添付して販売する際に、試用品やおまけなどを商品の側面などに取り外し可能に保持させるために用いる貼付用部材であって、従来のおまけ等添付用の袋や景品等添付用の袋のように、製袋や、切り目線及び／又は切り欠き部などの打ち抜き加工を必要とせず、製造工程を簡略化することができ、更に、試用品やおまけなどを商品の側面などに保持させるための手間も軽減することができ、且つ安定した状態に固定することができ、一層簡単に且つ体裁よく試用品やおまけなどを商品に貼付して販売することのできる貼付用部材を生産性及び経済性よく提供できる効果を奏する。
【図面の簡単な説明】
【図１】本発明の試用品等貼付用のテープ体の一実施例の構成を示す図であり、（イ）は平面図、（ロ）は模式断面図である。
【図２】本発明の試用品等貼付用のテープ体を用いて商品に試用品等の添付物を貼付した形体の一例を示す正面図である。
【図３】図２のＡ−Ａ線の模式断面図である。
【符号の説明】
１  テープ基材
２ａ  、２ｂ  、２ｃ    粘着剤層
３ａ  、３ｂ  、３ｃ    離型フィルム
４  つまみ部
Ｇ  商品
Ｐ  試用品等の添付物
１００  試用品等貼付用のテープ体
【図１】
2005053994.tif 000003
【図２】
2005053994.tif 000004
【図３】
2005053994.tif 000005